(57)【要約】【課題】【解決手段】  複合的な食品貯蔵システムが開示されている。本食品貯蔵システムは、第１の食品受けチャンバを規定する主ボウルを有している。第２のボウルは、第１の食品受けキャビティ内に位置され、第２の食品受けキャビティを規定している。第２のボウルはまた、熱エネルギー蓄積材料を中に備えた側壁を有している。別の食品貯蔵システムは、第１の食品受けキャビティを規定する主ボウルと共に使用される主ふたを有している。第２のボウルは、少なくとも部分的に、主ふたに位置されている。第２のボウルは、熱エネルギー蓄積材料を中に備えた側壁を有している。【選択図】  図１
2006069668.tif 000002
【特許請求の範囲】
【請求項１】
主食品受けキャビティを規定している主ボウルと、
この主ボウルに着脱可能に係合され得る主ふたと、
少なくとも部分的に前記主ふたに位置される副ボウルとを具備している食品貯蔵システムであって、
この副ボウルは、熱エネルギー蓄積材料を中に備えた側壁を有し、この側壁は、副食品受けキャビティを規定しており、また、この食品貯蔵システムは、食品を主食品キャビティまたは副食品受けキャビティに分けて保持することができ、前記副ボウルは、熱エネルギー蓄積材料が副食品受けキャビティ内に収容されている食品を加熱および／または冷却することができるように構成されている、システム。
【請求項２】
前記副ボウルと着脱可能に係合する副ふたを更に具備している請求項１の食品貯蔵システム。
【請求項３】
前記副ボウルは、主ふたから着脱可能である請求項１の食品貯蔵システム。
【請求項４】
前記副ボウルは、干渉はめ合いによって主ふたと係合される請求項３の食品貯蔵システム。
【請求項５】
前記副ボウルは、スナップ留め結合によって主ふたに取着される請求項３の食品貯蔵システム。
【請求項６】
前記副ボウルは、副ふたと係合するための上側リムを有し、副ボウルはまた、前記上側リムが主ふたの主面に実質的に隣接するように配置されており、前記主面は、主ふたが主ボウルに取付けられたときに、主ボウルと離れて面する、請求項１の食品貯蔵システム。
【請求項７】
前記主ふたの一部分は、副ボウルの側壁の一部分を形成している請求項１の食品貯蔵システム。
【請求項８】
前記主ふたは、主ふたが主ボウルに取付けられたときに、主ボウルから離れる第1の方向に面する主面を有し、主ふたの一部分は、第1の方向とは反対の方向へと外方に延びており、主ふたの前記一部分は、副ボウルの側壁の外壁を規定している、請求項１の食品貯蔵システム。
【請求項９】
パネルが、主ふたの外壁を形成している主ふたの前記一部分とほぼ同じ広がりを持つような形にされ、前記副ボウルの内壁を形成するように主ふたに取付けられており、前記内壁は、副食品受けキャビティのための食品受け面を形成し、前記外壁から概して離間されてこの外壁との間にチャンバを規定している、請求項８の食品貯蔵システム。
【請求項１０】
前記内壁は、主ふたに溶接されている、請求項９の食品貯蔵システム。
【請求項１１】
前記内壁は、接着剤で主ふたに取着されている、請求項９の食品貯蔵システム。
【請求項１２】
前記熱エネルギー蓄積材料は、チャンバ内に配置されている、請求項９の食品貯蔵システム。
【請求項１３】
前記熱エネルギー蓄積材料は、ゲルである、請求項１２の食品貯蔵システム。
【請求項１４】
前記主ふたは、ほぼ半透明である、請求項１の食品貯蔵システム。
【請求項１５】
前記主ボウルは、ほぼ半透明である、請求項１４の食品貯蔵システム。
【請求項１６】
前記副ボウルは、副ボウルが熱エネルギー蓄積材料の色を有するように、ほぼ半透明である、請求項１の食品貯蔵システム。
【請求項１７】
前記副ボウルは、主ボウル内のほぼ中心に位置される、請求項１の食品貯蔵システム。
【請求項１８】
主食品受けキャビティを規定する主ボウルと、
前記主食品受けキャビティ内に位置され、副食品受けキャビティを規定している副ボウルとを具備している食品貯蔵システムであって、前記副ボウルは、熱エネルギー蓄積材料を中に備えた側壁を有し、また、この食品貯蔵システムは、食品を主もしくは副食品受けキャビティ内に分けて保持することができ、副ボウルは、副食品受けキャビティ内に収容された熱エネルギー蓄積材料が加熱および／または冷却することができるように構成され、前記副ボウルは、主および副ボウルが覆われている時に、主食品受けキャビティ内の所定位置に固定され得る、食品貯蔵システム。
【請求項１９】
前記主および副ボウルは、単一のふたによってシールされている、請求項１８の食品貯蔵システム。
【請求項２０】
主ふたと副ふたとを更に具備している請求項１８の食品貯蔵システムであって、前記副ふたは、副ボウルと着脱可能に係合されることができ、主ふたは、主ボウルと着脱可能に係合されることができ、この食品貯蔵システムはまた、副ふたが副ボウルと係合され、主ふたが主ボウルと係合されているときに、主ふたが副ふたを所定位置で固定するように構成されている、食品貯蔵システム。
【請求項２１】
前記副ふたは、動物の顔を表した周面を有するように装飾的な形状にされている、請求項２０の食品貯蔵システム。
【請求項２２】
前記主ボウルと副ボウルとは、互いに固定するように取付けられている、請求項１８の食品貯蔵システム。
【請求項２３】
前記副ボウルは、基部周面を備えた副ボウルの基部を有しており、主ボウルは、主食品受けキャビティから延びて、副ボウルの基部を中に受けるために閉鎖領域を規定するように構成された縁部を更に有している、請求項２０の食品貯蔵システム。
【請求項２４】
前記副ボウルは、中の熱エネルギー蓄積材料を加熱および冷却するために主ボウルに着脱可能に取付けられる、請求項２３の食品貯蔵システム。
【請求項２５】
前記側壁は、内側パネルと外側パネルとから形成され、前記内側パネルは、副食品受けキャビティを形成し、前記外側パネルは、主ボウルと一体的に形成されている、請求項１８の食品貯蔵システム。
【請求項２６】
前記内側パネルは、副ふたと係合するための上側リムを規定しており、外側パネルとほぼ同じ広がりを持ち、この外側パネルから離間されている、請求項２５の食品貯蔵システム。
【請求項２７】
前記副ボウルは、ねじりロック結合によって主ボウルに取着されている、請求項１８の食品貯蔵システム。
【請求項２８】
前記副ボウルは、スナップ留め結合によって主ボウルに取着される、請求項１８の食品貯蔵システム。
【請求項２９】
前記副ボウルは、ねじ接続によって主ボウルに取着される、請求項１８の食品貯蔵システム。
【請求項３０】
前記主ボウルは、ほぼ半透明である、請求項１８の食品貯蔵システム。
【請求項３１】
前記副ボウルは、主および副ボウルが熱エネルギー蓄積材料の色を呈するようにほぼ半透明である、請求項１８の食品貯蔵システム。
【請求項３２】
前記副ボウルは、副ボウルが熱エネルギー蓄積材料の色を呈するようにほぼ半透明である、請求項１８の食品貯蔵システム。
【請求項３３】
主食品受けキャビティを形成している主ボウルと共に使用するための食品貯蔵用のふたであって、
前記主ボウルと着脱可能に係合され得るようにされた主ふたと、
少なくとも部分的に前記主ふたに位置される副ボウルとを具備し、
前記副ボウルは、熱エネルギー蓄積材料を中に備えた側壁を有し、この側壁は、副食品受けキャビティを形成しており、また、この食品貯蔵用のふたは、食品を副食品受けキャビティ内に保持することができ、副ボウルは、熱エネルギー蓄積材料が副食品受けキャビティ内に収容された食品を加熱および／または冷却することができるように構成されている、食品貯蔵用のふた。
【請求項３４】
前記主ふたは、この主ふたが主ボウルに取付けられている時に主ボウルと離れて第1の方向に面する主面を有しており、前記主ふたの一部分は、第1の方向とは反対の方向に外方に延びており、主ふたの前記一部分は、副ボウルの側壁の外壁を形成している、請求項３３の食品貯蔵用のふた。
【請求項３５】
パネルが、主ふたの外壁を形成している主ふたの前記一部分とほぼ同じ広がりを持つような形にされ、共に前記副ボウルの内壁を形成するように主ふたに取付けられており、前記内壁は、副食品受けキャビティのための食品受け面を形成し、前記外壁から概して離間されて外壁との間にチャンバを規定している、請求項３４の食品貯蔵用のふた。
【請求項３６】
前記熱エネルギー蓄積材料は、チャンバ内に配置されている、請求項３５の食品貯蔵用のふた。
【発明の詳細な説明】
【技術分野】
【０００１】
本出願は、２００４年７月２１日出願の米国意匠特許番号２９／２０９，７４６、２００４年７月３０日出願の米国意匠特許番号２９／２１０，４２２、２００４年８月４日出願の米国意匠特許番号２９／２１０，６８１、２００４年７月３０日出願の米国意匠特許番号２９／２１０，４２３、２００４年７月２９日出願の米国意匠特許番号２９／２１０，２８７、２００４年８月２４日出願の米国意匠特許番号２９／２１１，９４６、２００４年１０月１５日出願の米国意匠特許番号２９／２１５，２４５、２００４年１０月１５日出願の米国意匠特許番号２９／２１５，２４６の一部継続出願であり、これらに対する優先権を主張するものである。上述した各出願については、参照して本明細書に組み入れ、そっくりそのまま十分に説明されたものとみなす。
【０００２】
本発明は、一般的に食品貯蔵システムに関し、更に詳細には食品を加熱および／または冷却するために熱エネルギー蓄積材料を備えた食品貯蔵システムに関する。
【背景技術】
【０００３】
給食では食品を貯蔵または与えるために複合的な仕切りを使用することがあり、この場合、食品が加熱された、および／または、冷やされた状態に維持されなくてはならない時に、この食品が一緒に入った食品を適当な温度に保持する邪魔になる。これにより、食品がだめになり、および／または、食品の特質がまずく変わってしまう。
【特許文献１】米国実用特許出願番号１１／０２２，７０５（２００４年１２月２７日出願）
【特許文献２】米国意匠特許出願番号２９／２０９，７４６（２００４年７月２１日出願）
【特許文献３】米国意匠特許出願番号２９／２１０，４２２（２００４年７月３０日出願）
【特許文献４】米国意匠特許出願番号２９／２１０，６８１（２００４年８月４日出願）
【特許文献５】米国意匠特許出願番号２９／２１０，４２３（２００４年７月３０日出願）
【特許文献６】米国意匠特許出願番号２９／２１０，２８７（２００４年７月２９日出願）
【特許文献７】米国意匠特許出願番号２９／２１１，９４６（２００４年８月２４日出願）
【特許文献８】米国意匠特許出願番号２９／２１５，２４５（２００４年１０月１５日出願）
【特許文献９】米国意匠特許出願番号２９／２１５，２４６（２００４年１０月１５日出願）
【発明の開示】
【発明が解決しようとする課題】
【０００４】
食品を加熱した、および／または、冷やした状態に保持でき、給食で使用されるために、運搬と、後で食べるために貯蔵しておくこととが簡単であることが好ましい、幾つかの食品を分けて貯蔵することのできる食品貯蔵システムを提供すると有益であろう。
【課題を解決するための手段】
【０００５】
簡単に述べると、本発明の１つの実施形態は、主食品受けキャビティを規定する主ボウルを備えた食品貯蔵システムに関する。主ふたが、この主ボウルに着脱可能に係合され得る。副ボウルは、少なくとも部分的に、主ふたに位置される。副ボウルは、熱エネルギー蓄積材料を中に備えた側壁を有している。この側壁は、副食品受けキャビティを形成している。食品貯蔵システムは、食品を主食品受けキャビティと副食品受けキャビティとに分けて保持することができる。副ボウルは、熱エネルギー材料が副食品受けキャビティ内に収容された食品を加熱、および／または、冷却することができるように構成されている。
【０００６】
他の態様では、本発明は、主食品受けキャビティを規定する主ボウルを有する食品貯蔵システムに関する。副ボウルが、主食品受けキャビティ内に位置され、副食品受けキャビティを規定している。副ボウルはまた、熱エネルギー蓄積材料を中に備えた側壁を有している。食品貯蔵システムは、食品を主キャビティまたは副キャビティに分けて保持できる。副ボウルは、熱エネルギー蓄積材料が副食品受けキャビティ内に収容されている食品を加熱および／または冷却できるように構成されている。副ボウルは、主ボウルと副ボウルとが覆われている時、主食品受けキャビティ内の所定位置で固定され得る。
【０００７】
他の態様では、本発明は、主食品受けキャビティを規定する主ボウルと共に使用するために構成された食品貯蔵用のふたに関する。この食品貯蔵用のふたは、主ボウルと着脱可能に係合され得る主ふたを有している。副ボウルは、少なくとも部分的に、主ふたに位置され得る。副ボウルはまた、熱エネルギー蓄積材料を中に備えた側壁を有している。側壁は、副食品受けキャビティを形成している。食品貯蔵用のふたは、副食品受けキャビティ内に食品を保持できる。副ボウルは、熱エネルギー蓄積材料が副食品受けキャビティ内に収容されている食品を加熱並びに／もしくは冷却できるように構成されている。
【０００８】
上述の説明は、本発明の好ましい実施形態に関する以下の説明と同様に、添付図面を参照して読むと更によく理解できるだろう。本発明を説明するために、図面には現在好ましい実施形態が示されている。しかし、本発明は、示されているその通りの構成と手段とに限定されるものではないことが理解されるだろう。
【発明を実施するための最良の形態】
【０００９】
以下の説明では、所定の用語が利便性のために非制限的に使用されている。用語“右”、“左”、“上”、“底”は、参照する図面における方向を示している。用語“内方に”、“外方に”は夫々に、食品貯蔵システムのこのシステムの部品との幾何学的な中心に向かう方向、この中心から離れる方向を指している。請求項および明細書中の請求項に対応する部分で使用されている用語“食品”または“食料品”は、“液体の食品（牛乳、水、ゲータレード、ソーダなど）と固体の食品（クッキー、シリアル、サンドイッチ、卵サラダなど）との一方または両方”を収容するとして規定されている。用語“ａ”と“one”とは、特に違う形で述べられていない限り１つ以上の参考の食品を収容するとして規定されている。こうした用語は、上述した言葉と、その派生語と、同様の意味を持つ言葉とを含む。
【００１０】
図１〜１７を参照すれば、同じ参照符号は、本文全体にわたって、同じ部材を示している。９つの好ましい実施形態の食品貯蔵システムが示されており、夫々に３０：１〜３０：９として示されている。簡単に述べると、主〜第３の実施形態の食品貯蔵システム３０：１〜３０：３は、主ボウル３４と着脱可能に係合するようににされた主ふた３２に関する。副ボウル３６が、少なくとも部分的に、主ふた３２に設けられている。副ボウル３６は、熱エネルギー蓄積材料３８を中に備えている。第４〜第８の実施形態の食品貯蔵システム３０：４〜３０：８は、中に配置された副ボウル３６を備えた主ボウル３４を有している。副ボウル３６内には熱エネルギー蓄積材料３８が配置されている。
【００１１】
主ふた３２、主ボウル３４、および副ボウル３６は、ポリエチレンや、ポリエチレンテレフタラート（ＰＥＴ）や、ポリ塩化ビニル（ＰＶＣ）や、炭酸ポリフタレート（ＰＰＣ）（polyphthalate carbonate）や、あるいは他の適当な材料などのポリマー材料で形成されていると好ましい。
【００１２】
図１〜６を参照すれば、主〜第３の実施形態の食品貯蔵システム３０：１〜３０：３は、必須ではないが、主食品受けキャビティ４０を形成する主ボウル３４を有していると好ましい。主ボウル３４は、ほぼ半透明であると好ましい。図面に示されているボウルは概して円形であるか矩形であるが、当分野の当業者であれば、主ボウル３４または副ボウル３６の両方がどのような形状をとってもよいことが理解できるだろう。例えば、主ボウル３４または副ボウル３６のいずれかが、不規則な形状や、二枚貝の貝殻のような形状や、あるいは唐辛子の形状にされてよく、更に、本発明の範囲から逸脱しない限りどのような形状にされてもよい。
【００１３】
主ふた３２は、主ボウル３４と着脱可能に係合され得る。主ふた３２は、ほぼ円形状か、ほぼ矩形状かを有していると好ましい。しかし、当分野の当業者であれば、この開示内容により、主ふた３２が本発明の範囲を逸脱しない限りどんな形状を有してもよいことが理解できるだろう。例えば、主ふた３２は、本発明の範囲から逸脱しない限り、三角形、不規則な形、または、多角形などに形成されてよい。必須ではないが、主ふたは、ほぼ半透明であることが好ましい。あるいは、主ふたは、不透明であったり、印刷された様々のデザインを有していてよい。
【００１４】
副ボウル３６は、少なくとも部分的に、主ふた３２に位置付けられている。図２Ａ〜２Ｃを参照すれば、副ボウル３６は、主ふた３２から着脱可能である。例えば、副ボウル３６は、干渉はめあいによって主ふた３２と係合され得る。あるいは、副ボウル３６は、スナップ留め結合によって主ふた３２に取着されてもよい。
【００１５】
図２Ａを参照すれば、副ボウル３６が主ふた３２にスナップ留め結合される場合は、縁部４３Ａが、副ボウル３６の少なくとも一部分にわたって延びている。縁部４３Ａの外周は、主ふた３２形成された対応する孔の内径よりも僅かに大きい。これによって、副ボウル３６がスナップ留め結合部４３を形成するように前記孔内へと下方向に圧迫されると、副ボウル３６が主ふた３２と着脱可能に係合され得る。
【００１６】
図２Ｂを参照すれば、副ボウル３６が主ふた３２にねじ接続される場合は、副ボウルが、このボウルの周りに少なくとも部分的に少なくとも１つのねじ４５Ａを有している。少なくとも１つのねじ４５Ａは、下方に起立しているふた部材の他のねじ４５Ｂと係合可能である。副ボウル３６が主ふた３２中にねじ留めされると、ねじ接続部４５が形成される。
【００１７】
図２Ｃを参照すれば、副ボウル３６は、ねじれロック４７によって主ふた３２に接続されている。ピン４７Ａがスロット４７Ｂを通って摺動されてから、凹部４７Ｃ中へ回転される。これによって、副ボウル３６と主ふた３２とを迅速に係合させることができる。
【００１８】
図１〜６を参照すれば、副ボウル３６は、熱エネルギー蓄積材料３８を中に備えた側壁４２を有している。熱エネルギー蓄積材料３８は、再冷凍可能なゲルなどの、所定の適当な冷凍可能な、および／または、再加熱可能な材料であると好ましい。このゲルは、冷却を提供できるように、反復される冷凍と解凍のサイクルに耐えられるものであるのが好ましい。蓄熱材料はまた、熱エネルギー蓄積材料３８が食品に熱を与えるように、熱エネルギー蓄積材料３８が電子レンジ内に配置され得る形で使用されるとよい。
【００１９】
側壁４２は、副食品受けキャビティ４４を形成している。必須ではないが、主ふた３２の一部分が副ボウル３６の側壁４２の一部分を形成できることが好ましい。
【００２０】
主ふた３２は、主ふた３２が主ボウルに取付けられたときに、主ボウル３４とは離れる第1の方向に面する主面４６を有している。主ふた３２の一部分４８は、前記第1の方向とはほぼ逆の方向へと外方に延びていることが好ましい。主ふたの一部分４８は、副ボウル３６の側壁４２の外壁５０を規定している。
【００２１】
また、パネル５２が、外壁５０を形成する主ふた３２の一部分４８とほぼ同じ広がりを持つような形状にされ、副ボウル３６の内壁５４を形成するように主ふた３２に取付けられていると好ましい。この内壁５４は、副食品受けキャビティ４４のための食品受け面を形成し、外壁５０から概して離間されてこの外壁との間にチャンバ５６を規定している。
【００２２】
熱エネルギー蓄積材料３８がチャンバ５６内に配置されていると好ましい。また、熱エネルギー蓄積材料３８がゲルであると好ましい。このゲルは、必要とされる特定の美的外観に応じて、着色されていても半透明であってもよい。内壁５４は、主ふた３２に溶接されていると好ましい。あるいは、内壁５４は、接着剤によって、または、食品貯蔵システムの２つの部品を取着する何らかの他の公知の方法によって、主ふたに取着されていてもよい。
【００２３】
食品貯蔵システム３０：１〜３０：３は、食品を主食品受けキャビティ４０と副食品受けキャビティ４４とに分けて保持することができる。副ボウル３６は、熱エネルギー蓄積材料３８が副食品受けキャビティ４４内に収容された食品を加熱並びに／もしくは冷却できるように構成されている。副ボウル３６は、この副ボウル３６が内部の熱エネルギー蓄積材料３８の色を呈するように構成されている。
【００２４】
主ボウル３４と副ボウル３６とがほぼ半透明である場合は、食品貯蔵システム３０：１〜３０：３全体が、蓄熱材料３８の色を全体的に呈する。これによって、魅力的な装飾をすることもできる。副ボウル３６は、概して主ボウル３４の中心に位置されると好ましい。
【００２５】
食品貯蔵システム３０：１〜３０：３は、副ボウル３６と着脱可能に係合され得る副ふた５８を有していてよい。副ボウル３６は、副ふた５８と係合するための上側リム６０を有していると好ましい。副ボウル３６は、上側リム６０が主ふた３２の主面４６に実質的に隣接するように配置されていると好ましい。主面４６は、主ふた３２が主ボウルに取付けられたときに、主ボウル３４と離れて面すると好ましい。
【００２６】
図７〜１６を参照すれば、本発明の第４〜第８の実施形態の食品貯蔵システム３０：４〜３０：８が示されている。食品貯蔵システム３０：４〜３０：８は、主食品受けキャビティ４０を規定する主ボウル３４を有している。
【００２７】
食品貯蔵システム３０：４〜３０：８は、主食品受けキャビティ４０内に配置された副ボウル３６を有している。必須ではないが、副ボウル３６は、主ボウル３４内で中心に位置付けられることが好ましい。副ボウル３６は、熱エネルギー蓄積材料３８を中に備えた側壁４２を有している。
【００２８】
側壁４２は、内側および外側パネル６２，６４によって形成されていると好ましい。内側パネル６２は、副食品受けキャビティ４４を規定している。外側パネル６４は、主ボウル３４と一体的に形成されていると好ましい。内側パネル６２は、副ふた５８と係合するための上側リム６０を規定していると好ましい。内側パネル６２は、外側パネル６４とほぼ同じ広がりを持ち、この外側パネルから離間されている。
【００２９】
主ボウル３４は、ほぼ半透明であると好ましい。また、副ボウル３６は、主ボウル３４と副ボウル３６とが熱エネルギー蓄積材料３８の色を全体的に呈するように、ほぼ半透明であると好ましい。あるいは、副ボウル３６が、この副ボウル３６が熱エネルギー蓄積材料３８の色を有するように唯一のほぼ半透明なボウルであり、主ボウル３４が、半透明でなくてもよい。
【００３０】
食品貯蔵システム３０：４〜３０：８は、食品を主食品受けキャビティ４０と副食品受けキャビティ４４とに分けて保持することができる。副ボウル３６は、熱エネルギー蓄積材料３８が食品受けキャビティ４４内に収容された食費インを加熱および／または冷却できるように構成されている。副ボウル３６は、主ボウルと副ボウルとが覆われている時に主食品受けキャビティ４０内の所定位置に固定され得る。
【００３１】
必須ではないが、主ボウル３４と副ボウル３６とが、互いにしっかりと取付けられていると好ましい。図８を参照すれば、副ボウル３６は、基部周面６８を備えた副ボウルの基部６６を有している。主ボウル３４は、副食品受けキャビティ４０から延びて副ボウル３６の基部６６を中で受けるための閉鎖領域を規定するように構成されている縁部７０を有していると好ましい。副ボウル３６は、熱エネルギー蓄積材料３８を加熱および冷却するために、主ボウル３４に対して着脱可能である。これにより、副ボウルは、主ボウル３４が使用されている間に加熱もしくは冷却され得る。
【００３２】
図８Ａ〜図８Ｃを参照すれば、副ボウル３６が主ボウル３４と着脱可能に係合されるとき、副ボウル３６がねじロック結合によって主ボウルに取着されることが好ましい。あるいは、副ボウル３６は、スナップ留め結合またはねじ接続によって主ボウル３４に接続され得る。更に、副ボウル３６は、本発明の範囲から逸脱しないフックやループ材のような所定の公知の手段を用いて主ボウル３４に着脱可能に取着され得る。
【００３３】
図８Ａを特に参照すれば、副ボウル３６が主ボウル３４にスナップ留めされる場合は、縁部４３Ａが、副ボウル３６の少なくとも一部分の周りに概してＢ延びている。縁部４３Ａの外径は、主ボウル３４に設けられた対応する制限部材４３Ｂの内径よりも僅かに大きい。これにより、副ボウル３６がスナップ留め結合部４３を形成するように制限部材４３Ｂ内へと下方に圧迫されたときに、副ボウル３６が主ボウル３４と着脱可能に係合され得る。
【００３４】
図８Ｂを参照すれば、副ボウル３６が主ボウル３４にねじ接続される場合、副ボウルは、この副ボウルの少なくとも一部分の周りに、少なくとも１つのねじ４５Ａを有している。少なくとも１つのねじ４５Ａは、上方に起立している主ボウル部材４５Ｂに接してこの他のねじ４５Ｂと係合可能である。副ボウル３６は、主ボウル３４内にねじ留めされ、ねじ接続部４５が形成される。
【００３５】
図８Ｃを参照すれば、副ボウル３６がねじロック４７によって主ボウル３４に接続される場合、ピン４７Ａがスロット４７ｂを通って摺動されてから凹部４７Ｃ中に回転される。これにより、副ボウル３６と主ボウル３４とが迅速に係合され得る。
【００３６】
図１７を参照すれば、必須ではないが、主ボウル３４と副ボウル３６とが、単一のふた３２を用いてシールされると好ましい。単一のふた３２が使用される場合は、単一のふた３２が、下方に延びている溝部３２Ａを有している。この溝部３２Ａは、副ボウル３６の上側リム６０と共にシールを形成する。あるいは、食品貯蔵システム３０：４〜３０：８は、主ふた３２と副ふた５８とを有していてよい。副ふた５８は、副ボウル３６と着脱可能に係合され得る。主ふた３２は、主ボウル３４と着脱可能に係合されていると好ましい。食品貯蔵システム３０：４〜３０：８は、副ふた５８が副ボウル３６と係合され、主ふた３２が主ボウル３４と係合されている時に、主ふた３２が副ふた５８を所定の位置に支持するように構成されていると好ましい。副ふた５８は、動物の顔を表す周面を備えるように装飾的に形成されることが好ましい。
【００３７】
図１〜６を参照すれば、本発明の１実施形態は以下のように働く。食品貯蔵システム３０：１〜３０：３は、運搬用にチップおよびサルサディップを保存するために使用され得る。チップが、主ボウル３４の主食品受けキャビティ４０内に配置される。そして、主ふた３２が、中でチップを固定させるように主ボウル３４に取付けられる。主ふた３２は、副ボウル３６内の熱エネルギー蓄積材料３８が副食品受けキャビティ４４内の所定の食品を冷却するように、取付け前に冷やされるか冷凍されると好ましい。サルサディップは、副食品受けキャビティ４４内に配置され、副ふた５８でシールされる。かくして、包装されたチップおよびサルサディップが、運搬され、後で食べられ得る。
【００３８】
図７〜１６を参照すれば、本発明の第４〜第８の実施形態の食品貯蔵システム３０：４〜３０：８は、以下のように働く。クッキーが、副ボウル３６の外側で主食品受けキャビティ４０内に配置される。そして、副ボウル３６中にミルクが注がれる。副ボウルは、熱エネルギー蓄積材料３８がミルクを冷えた状態に保持するように、使用前に冷やされているか冷凍されていると好ましい。少なくとも１つのカバーが、副ボウルを覆うように、または副ボウル３６と主ボウル３４との両方を覆うように配置される。食品貯蔵システム３０：４〜３０：８は、運搬され、ミルクとクッキーとが後で食べられる。
【００３９】
様々の形状、構成、使用、および特性が上述されてきて、また、本発明の様々の実施形態のための図面にも示されているが、当分野の当業者であれば、本開示により、上述の特性の如何なる組み合わせも本発明の範囲から逸脱することなく用いられ得ることが理解できるだろう。従って、当分野の当業者であれば、本発明の範囲から逸脱することなく、本発明の上述の実施形態に対して変更が成され得ることが理解できるだろう。かくして、本発明は、開示されている特定の実施形態に制限されるものではなく、添付請求項によって規定されている、並びに／もしくは、添付図面に示されている本発明の範囲および精神の範囲内の全ての変形を含むものとなるように意図されていることが分かるだろう。
【図面の簡単な説明】
【００４０】
【図１】本発明の２層型コンテナの主好ましい実施形態の斜視図であり、食品貯蔵システムが、中に配置された副ボウルを備えた主ふたによって形成され、副ボウルは、熱エネルギー蓄積材料を備えた側壁を有している。
【図２】図１の食品貯蔵システムの立面図である。
【図２Ａ】図２の食品貯蔵システムの一部断面図であり、副ボウルが主ふたにスナップ留めされているのを図示しており、副ボウルの周囲には縁部が延び、この縁部が主ふたの孔内に圧迫されることによって副ボウルが主ふたと着脱可能に係合され得るようになっており、また、副ふたは、副ボウルと係合されている。
【図２Ｂ】図２の食品貯蔵システムの一部断面図であり、副ボウルが主ふたにねじ接続されているのを示しており、副ボウルの周りには少なくとも１つのねじが延び、このねじは、下方に起立しているふた部材の内側面に沿って配置された少なくとも１つのねじと着脱可能に係合されている。
【図２Ｃ】図２の食品貯蔵システムの一部断面図であり、副ボウルが主ふたにねじりロック結合されているのを示しており、副ボウルの周囲には縁部が延び、この縁部がスロットを通って摺動してから副ボウルを主ふたに着脱可能に取着するように回転され、また、副ふたは、副ボウルと係合されている。
【図３】本発明の食品貯蔵システムの副好ましい実施液体の斜視図であり、この食品貯蔵システムは、副ボウルを中に備えた主ふたを有し、この副ボウルは、副ボウルの側壁中に熱エネルギー蓄積材料を備え、また、主ふたは、円形状であり、副ボウルはほぼ矩形状である。
【図４】図３の食品貯蔵システムの立面図である。
【図５】本発明の食品貯蔵システムの第３の好ましい実施液体の斜視図であり、この食品貯蔵システムは、副ボウルが少なくとも部分的に中に配置された主ふたを有し、この副ボウルは、副ボウルの側壁中に熱エネルギー蓄積材料を備え、また、主ふたと副ボウルとは、好ましくはほぼ矩形状である。
【図６】図５の食品貯蔵システムの立面図である。
【図７】本発明の食品貯蔵システムの第４の好ましい実施液体の斜視図であり、この食品貯蔵システムは、副ボウルが中に配置された主ふたを有し、この副ボウルは、副ボウルの側壁中に熱エネルギー蓄積材料を備え、閉鎖領域を規定している主ボウルの縁部によってこの閉鎖領域内に受けられる基部周面を備えており、また、主ふたと副ボウルとは、概して円形状を有している。
【図８】図７の食品貯蔵システムの立面図である。
【図８Ａ】図８の食品貯蔵システムの一部断面図であり、副ボウルが主ボウルにスナップ留めされているのを図示しており、副ボウルの周囲には縁部が延び、この縁部が主ふたの制限部材を通るように圧迫されることによって副ボウルが主ボウルと着脱可能に係合されている。
【図８Ｂ】図８の食品貯蔵システムの一部断面図であり、副ボウルが主ボウルにねじ接続されているのを示しており、副ボウルの周りには少なくとも１つのねじが延び、このねじは、上方に起立している主ボウル部材に沿って配置された少なくとも１つのねじと着脱可能に係合されている。
【図８Ｃ】図８の食品貯蔵システムの一部断面図であり、副ボウルが主ボウルにねじりロック結合されているのを示しており、副ボウルの周囲には縁部が延び、この縁部がスロットを通って摺動してから副ボウルを主ボウルに着脱可能に取着するように回転されている。
【図９】本発明の食品貯蔵システムの第５の好ましい実施液体の斜視図であり、この食品貯蔵システムは、主ボウルと、熱エネルギー蓄積材料を中に備えた副ボウルとを有し、副ボウルの側壁は、内側パネルと外側パネルとによって形成され、内側パネルは、副食品受けキャビティを形成し、外側パネルは主ボウルと一体的に形成されており、また、主ボウルと副ボウルとは、主ふたと副ボウルとは、概して円形状を有している。
【図１０】図９の食品貯蔵システムの立面図である。
【図１１】本発明の食品貯蔵システムの第６の好ましい実施液体の斜視図であり、この食品貯蔵システムは、各々がほぼ矩形である主ボウルと副ボウルとを有し、この副ボウルは、熱エネルギー蓄積材料を中に備えており、また、副ボウルは基部周面を有し、主ボウルは主受けキャビティから延びて副ボウルの基部を中に受けるための閉鎖領域を規定するように構成された縁部を有している。
【図１２】図１１の食品貯蔵システムの立面図である。
【図１３】本発明の食品貯蔵システムの第７の好ましい実施液体の斜視図であり、この食品貯蔵システムは、各々がほぼ矩形である主ボウルと副ボウルとを有し、この副ボウルの外側パネルは、主ボウルと一体的に形成されており、副ボウルは、熱エネルギー蓄積材料を中に備えた。
【図１４】図１３の食品貯蔵システムの立面図である。
【図１５】本発明の食品貯蔵システムの第８の好ましい実施液体の斜視図であり、この食品貯蔵システムは、ほぼ矩形である主ボウルと、ほぼ円形状である副ボウルとを有し、この副ボウルは、熱エネルギー蓄積材料を側壁中に備えており、副ボウルの側壁の外側パネルは、主ボウルと一体的に形成されている。
【図１６】図１５の食品貯蔵システムの立面図である。
【図１７】本発明の食品貯蔵システムの第９の好ましい実施液体の斜視図であって、主ボウルと副ボウルとの両方を同時に閉鎖できる単一ふたを図示しており、主ふたと副ボウルの上側リムとの間をシールするために、環状の突起が副ボウルの方へ下方に延びている。
【図１】
2006069668.tif 000003
【図２】
2006069668.tif 000004
【図２Ａ】
2006069668.tif 000005
【図２Ｂ】
2006069668.tif 000006
【図２Ｃ】
2006069668.tif 000007
【図３】
2006069668.tif 000008
【図４】
2006069668.tif 000009
【図５】
2006069668.tif 000010
【図６】
2006069668.tif 000011
【図７】
2006069668.tif 000012
【図８】
2006069668.tif 000013
【図８Ａ】
2006069668.tif 000014
【図８Ｂ】
2006069668.tif 000015
【図８Ｃ】
2006069668.tif 000016
【図９】
2006069668.tif 000017
【図１０】
2006069668.tif 000018
【図１１】
2006069668.tif 000019
【図１２】
2006069668.tif 000020
【図１３】
2006069668.tif 000021
【図１４】
2006069668.tif 000022
【図１５】
2006069668.tif 000023
【図１６】
2006069668.tif 000024
【図１７】
2006069668.tif 000025
【外国語明細書】
2006069668000001.pdf